(57)【特許請求の範囲】
【請求項１】
磁性体の球体に前後の動きと振動を加えることで、前記球体は磁力を保持し振動と回転を身体のツボに与える事が出来るように、手の平で握れる大きさのケース内の先端部から順に前記球体、樹脂板、永久磁石、受け座金、ばね、受け座金、波動金具、モータを組み込み前記モータの後部に前記モータ用電源の乾電池を取付け、前記ケース上部側面中央に電源スイッチを設けることで、手軽に前記ケースを手で持って身体のツボに前記ケース先端部の前記球体の前記球面を当て、磁力と振動と回転を得ることが出来ることを、特徴とする球体マッサージ器。
【発明の詳細な説明】
【技術分野】
【０００１】  本発明は、磁性体の球体は、永久磁石のＮ極の磁極面から磁気誘導で、Ｎ極の磁力を受けて、身体のツボに球体の球面を当てＮ極の磁力を与える事が出来ることで、最良のマッサージを得ることが出来る球体マッサージ器に関するものである。
【背景技術】
【０００２】  従来から永久磁石を用いたマッサージ器具、家庭用医療器などの商品が紹介されているが、永久磁石のＮ極の磁力を球体が受けて身体のツボに当て、静止、回転、回転移動しながら球体から直接身体のツボに磁力を当てて、球体マッサージを行う器具はなかった。
【先行技術文献】
【特許文献】
【０００３】
【特許文献２】公開実用  昭５９−１３０７２９
【特許文献３】特開平１０−１９２３６１
【実用文献１】
公開実用  昭５６−１７１０４４
【発明の概要】
【発明が解決しようとする課題】
【０００４】  従来から、永久磁石の磁力の磁場を用いて、身体の一部に装着する健康器具、永久磁石をマット、枕、などの中に入れて使用する寝具、また、身体のツボに直接永久磁石を粘着テープなどで貼る家庭用治療器など、肌を傷めることなく、永久磁石のＮ極の磁力を球体が受けて静止、回転、回転移動で身体のツボに球体を直接当てて球体マッサージを行うことが出来ること。
【課題を解決するための手段】
【０００５】  本発明は、上記課題を捉えて、身体のツボに前記球体の前記球面が触れた時に、刺激が無く違和感のない前記球体の前記球面を身体のツボに当て、静止と回転移動を行いながら前記球体の前記球面から磁力を得ることが出来るようにして、マッサージを行う事が出来るようにするには、前記球体は磁性体で永久磁石のＮ極の磁力を磁気誘導で前記球体は前記Ｎ極の磁力を得ることが出来て、前記球体は静止、回転、回転移動で身体のツボに前記球体の前記球面を当て刺激することなく、違和感もなく、前記球体は前記Ｎ極の磁力を直接身体のツボに与えることが出来る球体マッサージ器。【０００６】  そこで、前記球体を前記永久磁石の前記Ｎ極の磁極面に直接装着し磁力を得ることは、前記球体が磁性体で前記Ｎ極の磁極面に前記球体を近づけると、磁力の引く力が強く前記球体が前記Ｎ極の磁極面に引かれ、引かれた衝撃で前記Ｎ極の磁極面が破損の恐れと、前記Ｎ極の磁極面は硬度があって、前記球体の前記球面と直接接触すると前記球面に傷つく恐れがあるために、磁気を通す樹脂板を用いて前記Ｎ極の磁極面に装着することで、前記Ｎ極の磁極面の破損防止と前記球体の前記球面の傷の防止をすることが出来て、前記球体は前記永久磁石の前記Ｎ極の磁力を得ることが出来て、身体のツボに前記球体の前記球面を当てることができる球体マッサージ器。【０００７】  そして、前記球体は前記Ｎ極の磁力を保持し、回転移動を前記樹脂板の面で行う事が出来るようにするには、広い面の前記樹脂板の面に前記球体を置き、その前記樹脂板の後面に、前記永久磁石の前記Ｎ極の磁極面を取付けすることで、磁気誘導で前記Ｎ極の磁極面の磁場が前記樹脂板の前面に広がり、広がる前記樹脂板の前面に前記球体を置くことで、前記球体は前記Ｎ極の磁極面より前記Ｎ極の磁力を受けて、前記樹脂板の前面で静止、回転、回転移動することで、前記球体の前記球面を身体のツボに当て前記Ｎ極の磁力を得ることが出来ることを特徴とする球体マッサージ器。【０００８】  また、前記球体が得る磁力は前記樹脂板の後面に、前記永久磁石の前記Ｎ極の磁極面を取付けることで、前記Ｎ極の磁極面から磁力が前記樹脂板の前面に磁気誘導され、前記樹脂板の前面と接触する前記球体の回転支点から、前記永久磁石の前記Ｎ極の磁力を得ることで、前記球体は前記樹脂板の前面に接触している限り、静止、回転、回転移動を前記樹脂板の前面で前記Ｎ極の磁力を受けて、静止、回転、回転移動の時も前記球体の前記Ｎ極の磁力は、回転支点の真上に前記Ｎ極の磁極があって、前記球体の上に手の平、足裏を乗せて前記球体を回転させ、前記球体の前記球面に触れることで前記Ｎ極の磁力を得ることが出来ることを特徴とする球体マッサージ器。【０００９】  上記、前記球体マッサージ器は、前記球体を置く前記樹脂板の後面に前記Ｎ極の磁極面を取付けすることで、前記樹脂板の前面に前記球体を複数個置くことが出来て、前記球体の一つ又は複数個の前記球体の上に左右の手の平、足裏を乗せ前記球体の前記球面を動かし、動かすことで手の平、足裏で前記球体を回転移動することで、前記樹脂板の周囲を外枠に取付け、前記樹脂板の強度をより強めるために、前記樹脂板の後面と後面に取付けた前記永久磁石の周��を保護材で補強し裏板で固定し、前記外枠に組付けることで、球体マッサージ器は手で簡単に持ち運びが出来ることで、身体のマッサージを行う場所に合わせて、テーブル、床の上に置くことが出来ることを特徴とする球体マッサージ器。【００１０】  そして、球体マッサージ器のハンド型は、手のひらで握れることが出来る大きさの、ケース先端に前記球体を取付け、前記球体の背面に前記樹脂板と接する前記Ｎ極の磁極面の前記永久磁石を取付け、その前記永久磁石の後面にスプリングを設けて、前記球体が身体のツボに触れた時に、前記球体に適度に力を加えることで、前記球体が前後に柔らかな動きと回転が出来るように、前記スプリングの弾力を活かし、動きを吸収することで、ケースを手に持って身体のツボに前記球体の前記球面を当て、柔らかな圧と回転で前記Ｎ極の磁力で、マッサージを行う事が出来ることを特徴とする球体マッサージ器。【００１１】  また、球体マッサージ器の自動型は手に持って、自動で前記球体が振動と回転の動きが出来て、手軽に使用出来るようにケースを設け、身体のツボに当てる前記球体の前記球面は前記ケース先端部に取付け、前記球体は前記Ｎ極の磁力と振動と回転を得るために、前記ケース内に前記球体の駆動用のモーターと、前記モーターの電源に乾電池を組み込むスペースと、前記駆動用の連動部品を装着できる前記ケースにすることで、手に持って身体のツボに前記球体の前記球面を当て、前記球体から振動と回転の動きで前記Ｎ極の磁力を得ることが出来ることを特徴とする球体マッサージ器。【００１２】  上記、球体マッサージ器の自動型は、前記ケース先端に取り付けてある前記球体は前記Ｎ極の磁力を受けて、球体が先端部で回転、振動の動きが出来る駆動は、前記駆動用の電源を前記乾電池から受電し前記モーター軸の波動金具を回転させ、前記波動金具と前記永久磁石の中間に受け座金を両端部に取付けたスプリングで、前記波動金具の回転を前記スプリングで振動と回転を変換し、前記永久磁石の後面に伝え、前記永久磁石から前記樹脂板と先端の前記球体に伝わり、前記球体は前記Ｎ極の磁力と振動と回転を得ることが出来ることで、身体のツボに前記球体の前記球面を当てることが出来ることを特徴とする球体マッサージ器。【００１３】  そして球体マッサージ器の自動型は手に持って、前記ケースの電源のスイッチを入れ、前記モーターの起動で前記ケース先端の前記球体は振動と回転が始まり、前記球体は前記樹脂板と前記Ｎ極の磁極面から磁力を受けて、前記球体は前記Ｎ極の磁力に振動と回転を得ることで、身体の首筋、足のふくらはぎなどのツボに前記球体の前記球面を当て、柔らかい振動と前記Ｎ極の磁力を心地よく得ることが出来ることを特徴とする球体マッサージ器。【００１４】  前記球体を置く前記樹脂板の前面は、前記球体を複数個置くことが出来て、後面に前記永久磁石の前記Ｎ極の磁極面を取付けることで、前記Ｎ極の磁極面から磁気誘導で前記樹脂板の前面は前記球体が回転移動できる広さの磁場で、前記樹脂板の前面に置く球体の回転支点で前記Ｎ極の磁力を受けて、静止、回転、回転移動を行う前記球体の磁力は、前記球体の回転支点の真上に前記Ｎ極の磁極が発生し、前記球体の上に手のひら、足の裏を乗せ���ことで前記Ｎ極の磁力を得ることが出来ることで、マッサージを行う身体のツボの位置に合わせて、球体マッサージ器をテーブル、床の上に置いて、椅子に座って、手の平、足裏を動かし前記球体を静止、回転、回転移動を行いながら、前記永久磁石の前記Ｎ極の磁力を前記球体の前記球面で得ることが出来ることを特徴とする球体マッサージ器。
【発明の効果】
【００１５】  上述したように本発明は手のひら、足裏に球体の球面が触れても違和感はなく、樹脂板の前面でＮ極の磁力を球体が得る磁力を、手のひら、足裏のツボなどで球体に触れることで、球体からＮ極の磁力を得ることが出来るようにするために、磁気を通す樹脂板を用いて、樹脂板の後面に永久磁石のＮ極の磁極面を取付けることで、樹脂板の前面はＮ極の磁場が発生して、樹脂板の磁場の範囲が広がる前面に球体を置くことで回転、回転移動の範囲も広がり、広くなった樹脂板の前面で球体を手の平、足裏で回転させる動きで、手の平、足裏のツボで球体からＮ極の磁力を得ることができることを特徴とする球体マッサー器。【００１６】  そして、永久磁石のＮ極の磁極面に樹脂板を用いて、樹脂板の後面にＮ極の磁極面を取付けることで、樹脂板の広がる磁場の前面に複数個の球体を置くことが出来て、複数個の球体から一つ、または、複数個の球体の上に左右の手のひら、足裏を球体の上に乗せて球体を静止から回転、回転移動を行う事で手の平、足裏のツボにＮ極の磁力を自然と得ることが出来ることで、球体マッサージ器は手軽に持ち運びが出来ることで、身体のマッサージを行う場所に合わせて、テーブル、床の上に置いて、球体のＮ極の磁力を得ることが出来ることを特徴とする球体マッサージ器。【００１７】  手のひらで握れる大きさのハンド型の球体マッサージ器で、ケース先端の球体の球面を身体のツボに当て、ツボの周囲の肌を球体の球面を当て、軽く押しながら回転させるようにツボに当て、球体を軽くツボに当て軽くツボを押すことで、ケースに納めている永久磁石の後面に取付けたスプリングの動きで、球体が前後に柔らかな動きと回転が出来るようにしたことで、ケースを手に持って身体のツボに球体を当て、滑らかな球体の回転と球体を押す圧で球体の球面から前記Ｎ極の磁力を得ることが出来ることを特徴とする球体マッサージ器。【００１８】  球体マッサージ器を手軽に使用できる電動型は、身体のツボに球体を当て球体が振動と回転が出来るように、ケースを設け、ケース先端部に球体を取付け、ケースを手に持って、電源のスイッチを入れることで身体のツボに当てる球体から心地よい振動と回転が身体のツボに刺激を与えながら、球体からＮ極の磁力を同時にツボに与える事が出来ることで、身体の脚、首筋、肩などのツボに球体先端部の球面を当てて、手軽にマッサージを行う事が出来るようにしたことを特徴とする球体マッサージ器。
【図面の簡単な説明】
【００１９】
【図１】球体マッサージ器正面図
【図２】球体マッサージ器平面図
【図３】球体マッサージ器の左側面図
【図４】球体マッサージ器の正面１ａ〜１ｂ断面図
【図５】球体マッサージ器斜視図
【図６】球体マッサージ器のハンド型正面図
【図７】球体マッサージ器のハンド型正面断面図４ａ〜４ｂ
【図８】球体マッサージ器のハンド型左側面図
【図９】球体マッサージ器のハンド型右側面図
【図１０】球体マッサージ器の電動型正面図
【図１１】球体マッサージ器の電動型平面図
【図１２】球体マッサージ器の電動型平面２ａ〜２ｂ断面図
【図１３】球体マッサージ器の電動型左側面図
【図１４】球体マッサージ器の電動型右側面図
【図１５】球体マッサージ器の電動型平面断面図３ａ〜３ｂ拡大断面図
【発明の実施するための形態】
【００２０】    以下、本発明の実施の形態を図１〜図１５に基づいて説明する。
【００２１】  図１は、球体マッサージ器正面図で、球体１は磁性体で、球体１が広範囲に回転移動を行う事が出来るように、磁気を通す樹脂板４の後面６に、永久磁石２のＮ極の磁極面３を取付けることで、Ｎ極の磁極面３から磁気誘導で、取付けた前記樹脂板４の前面５にＮ極の磁場が発生し、前面５に発生したＮ極の磁場に置く球体１は、樹脂板４の前面５に接触する回転支点２１から磁気誘導でＮ極の磁力を保持し、樹脂板４の前面５で、球体１は回転支点２１で静止、回転、回転移動が広範囲に可能となって、Ｎ極の磁極が回転支点２１の真上に発生することで、球体１の球面７の上に手のひら、足裏を直接当てて、球体１からＮ極の磁力を得ることが出来ることを特徴とする球体マッサージ器。
【００２２】  図２は、球体マッサージ器平面図で、樹脂板４の前面５の中心からＮ極の磁場は放射状に広がりを持つことで、複数個の球体１を前面５に置くと中心の強い磁場に球体１は引かれ、中心の球体１の球面７に複数個の球体１が蜜着していて、前面５の樹脂板４の側面をビス１１で外枠８に固定し組み付けて、テーブル、床の上に置いて複数個の球体１を手の平、足裏で回転、回転移動を樹脂板４の前面５で球体１を身体のツボに当てマッサージを行う事が出来る。
【００２３】  図３は、球体マッサージ器の左側面図で、外枠８の内側に球体１の球面７に複数個が磁気で繋がって樹脂板の前面に置いている状態を外枠８からの側面である。
【００２４】  図４は、球体マッサージ器正面１ａ〜１ｂ断面図で、広い面の樹脂板４の後面６の中心に、永久磁石２のＮ極の磁極面３を取付けることで、広い面の樹脂板４の前面５に複数個の球体１を置く樹脂板４の側面を外枠８にビス１１で固定し、樹脂板４の補強と樹脂板４の後後面６に取付けた永久磁石２の周囲を保護材９で補強し裏板１０をビス１１で外枠８に固定し組付けて持ち運びが出来る。
【００２５】  図５は、球体マッサージ器斜視図で、複数個の球体１を樹脂板４の前面５に置いた状態で、Ｎ極の磁場の強い位置の球体１の球面７に、複数個の球面７が磁気で引き合って繋がることで、複数個の球体１に手の平、足裏を乗せて回転の動きは、球体１の回転支点２１の動きで簡単に移動が出来ることで、樹脂板４の広い前面５の磁場に複数個の球体１を置くことが出来る
【００２６】  図６は、球体マッサージ器のハンド型正面図で、手に持てる球体マッサージ器で、ケース１２先端に前記球体１を装着し、本体ケース１２を手に持って身体の肌に球体１を当て、球体１の保持するＮ極の磁力と球体１の球面７で、軽く身体のツボを押すことのできる球体磁気マッサージ器。
【００２７】  図７は、球体マッサージ器のハンド型正面４ａ〜４ｂ断面図でケース１２先端部に球体１を取付け背面に、球体１の球面の傷を防ぎ磁気を通す樹脂板４を取付け、後面はＮ極の磁極面の永久磁石４を組付けて永久磁石４の後面とケース１２後面の間に片側端部に受け座金１７を設けたスプリング１５を取付けて、球体１を身体のツボに当てるときに球体１が前後に柔らかな動きと回転が出来るように、スプリング１５の弾力を活かし、動きを吸収することで、ケース１２を手に持って身体のツボに球体１を当て、柔らかな圧と回転でＮ極の磁力でマッサージを行う事が出来る
【００２８】  図８は、球体マッサージ器のハンド型左側面図で、円の外形は本体のケース１２で、内側の円は球体１でＮ極の磁力を保持し肌に当てる球面７である。
【００２９】  図９は、球体マッサージ器のハンド型右側面図で、ケース１２の後面である。
【００３０】  図１０は、球体マッサージ器の電動型正面図で、ケース１２先端に球体１を取付けていて、ケース１２の側面上部はモーターの電源スイッチ１８で前後に可動することが出来て、後部に乾電池交換部の裏蓋２０を設けている。
【００３１】  図１１は、球体マッサージ器の電動型平面図で、ケース１２先端に球体１を取付けて、ケース１２の中間に電源スイッチ１８を備えて、後部に電池交換部の裏蓋２０を設けている。
【００３２】  図１２は、球体マッサージ器の電動型正面２ａ〜２ｂ断面図で、ケース中間に仕切りを設けて、左先端部の球体１はＮ極の磁力を保持し振動と回転の動きが出来るように、ケース１２上部に電源スイッチ１８を備え、ケース１２仕切り右側にモーター１３の電源用の乾電池１４を収めて、左側の位置に駆動用のモーター１３を取付け、モーター１３軸に球体１が振動と回転を得るために波動金具１６を取付け、波動金具１６の回転を両端の受け座金１７とスプリング１５で受け、永久磁石２の後面に伝わり、Ｎ極の磁極面３から磁力と振動と回転を樹脂板４から球体１に伝わることで、電源スイッチ１８を入れることでモーター１３が駆動し、球体１はＮ極の磁力と回転と振動を得ることが出来る。
【００３３】  図１３は球体マッサージ器の電動式左側面図で、円形状のケース１２上部側面にモーターの電源スイッチ１８を備え、球体１をケース１２中心に取付けて、振動と回転とＮ極の磁力を身体のツボに与える事が出来る。
【００３４】  図１４は球体マッサージ器の電動式右側面図で円形状のケース１２上部側面にモーターの電源スイッチ１８を備え、ケース１２の後面に有る裏蓋２０は、乾電池の取り出し口用の裏蓋２０で乾電池の交換の時に取り外しが出来る。
【００３５】  図１５は球体マッサージ器の電動式の平面断面図３ａ〜３ｂ拡大図でケース１２上部に備えている電源スイッチ１８の接点部１９は前後に動き、上下の接点が接触する構造でモーターの起動に用いている。
【００３６】
【産業上の利用可能性】
【００３７】  毎日の健康を維持することは、体の疲労を癒すことで、身体のツボに球体をあて保持するＮ極の磁力を球面から得ることから、毎日の健康を守り肌も美しくする事で元気に暮らせることから、球体の球面に手のひら、足裏など身体のツボに当て優しく肌に触れることが出来る球体マッサージ器で健康に貢献できる。
【符号の説明】
【００３８】１  球体
２  永久磁石
３  Ｎ極の磁極面
４  樹脂板
５  前面
６  裏板
７  球面
８  外枠
９  保護材
１０裏板
１１ビス
１２ケース
１３モーター
１４乾電池
１５スプリング
１６波動金具
１７受け座金
１８電源スイッチ
１９接点部
２０裏蓋
２１回転支点
【要約】      （修正有）【課題】永久磁石のＮ極の磁極面から磁気誘導で、Ｎ極の磁力を受けて、身体のツボに球体を当てＮ極の磁力を与える球体マッサージ器を提供する。【解決手段】広い面の樹脂板の面に球体を置き、その前記樹脂板の後面に、永久磁石のＮ極の磁極面を取付けすることで、球体は永久磁石Ｎ極の磁力で保持され、身体のツボに球体の球面を当て静止、回転、回転移動で球体マッサージを行う。【選択図】図５【図１】
0006890910.tif 000002
【図２】
0006890910.tif 000003
【図３】
0006890910.tif 000004
【図４】
0006890910.tif 000005
【図５】
0006890910.tif 000006
【図６】
0006890910.tif 000007
【図７】
0006890910.tif 000008
【図８】
0006890910.tif 000009
【図９】
0006890910.tif 000010
【図１０】
0006890910.tif 000011
【図１１】
0006890910.tif 000012
【図１２】
0006890910.tif 000013
【図１３】
0006890910.tif 000014
【図１４】
0006890910.tif 000015
【図１５】
0006890910.tif 000016